(57)【要約】【課題】  本発明は、フレーム収容効率を向上でき、かつ、上位レイヤによる処理遅延やコントロールコードの伝送のための特殊な処理を必要としないＬＡＮ信号伝送方法及びそれに用いる伝送装置を提供することを目的とする。【解決手段】  第１の伝送装置は、受信したＬＡＮ信号のデータ部のみを取り出してデジタルラッパー信号に収容し、第１のＬＡＮ装置との間のリンク情報をデジタルラッパー信号のオーバヘッドに収容して第２の伝送装置に送信し、第２の伝送装置は、受信したデジタルラッパー信号からＬＡＮ信号のデータ部を取り出すと共に、受信したデジタルラッパー信号のオーバヘッドからリンク情報を取り出し、取り出したデータ部を含むＬＡＮ信号を構成して第２のＬＡＮ装置に送信し、取り出したリンク情報がリンクダウンであるとき第２のＬＡＮ装置に送信するＬＡＮ信号をシャットダウンし、かつ、第１のＬＡＮ装置に送信する前記第２のＬＡＮ装置との間のリンク情報がリンクダウンとなることのマスクを行う。【選択図】        図７
2006339956.tif 000002
【特許請求の範囲】
【請求項１】
ＬＡＮ信号の送受信を行う第１、第２のＬＡＮ装置間に第１、第２の伝送装置を配置し、第１のＬＡＮ装置から送信されたＬＡＮ信号を第１の伝送装置でデジタルラッパー信号に変換して第２の伝送装置に送信し、第２の伝送装置で受信したデジタルラッパー信号をＬＡＮ信号に変換して第２のＬＡＮ装置に送信するＬＡＮ信号伝送方法において、
前記第１の伝送装置は、受信したＬＡＮ信号のデータ部のみを取り出してデジタルラッパー信号に収容し、前記第１のＬＡＮ装置との間のリンク情報をデジタルラッパー信号のオーバヘッドに収容して前記第２の伝送装置に送信し、
前記第２の伝送装置は、受信したデジタルラッパー信号から前記ＬＡＮ信号のデータ部を取り出すと共に、受信したデジタルラッパー信号のオーバヘッドから前記リンク情報を取り出し、取り出したデータ部を含むＬＡＮ信号を構成して前記第２のＬＡＮ装置に送信し、取り出したリンク情報がリンクダウンであるとき前記第２のＬＡＮ装置に送信するＬＡＮ信号をシャットダウンし、かつ、前記第１のＬＡＮ装置に送信する前記第２のＬＡＮ装置との間のリンク情報がリンクダウンとなることのマスクを行うことを特徴とするＬＡＮ信号伝送方法。
【請求項２】
請求項１記載のＬＡＮ信号伝送方法において、
前記第２の伝送装置は、前記第１の伝送装置との間の障害を検出し、障害検出時に前記第２のＬＡＮ装置に送信するＬＡＮ信号をシャットダウンし、前記第１のＬＡＮ装置に送信する前記第２のＬＡＮ装置との間のリンク情報がリンクダウンとなることのマスクを解除することを特徴とするＬＡＮ信号伝送方法。
【請求項３】
ＬＡＮ信号の送受信を行う第１、第２のＬＡＮ装置間に第１、第２の伝送装置を配置し、第１のＬＡＮ装置から送信されたＬＡＮ信号を第１の伝送装置でデジタルラッパー信号に変換して第２の伝送装置に送信し、第２の伝送装置で受信したデジタルラッパー信号をＬＡＮ信号に変換して第２のＬＡＮ装置に送信するＬＡＮ信号伝送方法に用いる伝送装置において、
受信したＬＡＮ信号のデータ部のみを取り出す抽出手段と、
前記第１のＬＡＮ装置との間のリンク状態を検出するリンク状態検出手段と、
抽出ＬＡＮ信号のデータ部をデジタルラッパー信号に収容し、検出されたリンク状態をデジタルラッパー信号のオーバヘッドに収容して前記第２の伝送装置に送信するマッピング手段と、
受信したデジタルラッパー信号から前記ＬＡＮ信号のデータ部を取り出すと共に、受信したデジタルラッパー信号のオーバヘッドから前記リンク情報を取り出すデマッピング手段と、
取り出したデータ部を含むＬＡＮ信号を構成して前記第２のＬＡＮ装置に送信するＬＡＮ信号構成手段と、
取り出したリンク情報がリンクダウンであるとき前記第２のＬＡＮ装置に送信するＬＡＮ信号をシャットダウンするシャットダウン手段と、
取り出したリンク情報がリンクダウンであるとき前記第１のＬＡＮ装置に送信する前記第２のＬＡＮ装置との間のリンク情報がリンクダウンとなることのマスクを行うマスク手段を
有することを特徴とするＬＡＮ信号伝送方法。
【請求項４】
請求項３記載の伝送装置において、
前記第１の伝送装置との間の障害を検出し、障害検出時に前記シャットダウン手段に前記第２のＬＡＮ装置に送信するＬＡＮ信号をシャットダウンさせる障害検出手段と、
障害検出時に前記第１のＬＡＮ装置に送信する前記第２のＬＡＮ装置との間のリンク情報がリンクダウンとなることのマスクを解除するマスク解除手段を
有することを特徴とする伝送装置。
【請求項５】
請求項３または４記載の伝送装置において、
前記第２のＬＡＮ装置に送信するＬＡＮ信号に挿入する所定のコントロールコードを発生して前記ＬＡＮ信号構成手段に供給するコントロールコード挿入部を
有することを特徴とする伝送装置。
【発明の詳細な説明】
【技術分野】
【０００１】
本発明は、ＬＡＮ信号伝送方法及びそれに用いる伝送装置に関し、ＬＡＮ装置間に伝送装置を配置しＬＡＮ信号を伝送するＬＡＮ信号伝送方法及びそれに用いる伝送装置に関する。
【背景技術】
【０００２】
ギガビット・イーサネット（登録商標）信号等のＬＡＮ（Ｌｏｃａｌ  Ａｒｅａ  Ｎｅｔｗｏｒｋ）信号を、より高速に長距離を伝送する方法としては従来さまざまな方法が提案されている。なお、本明細書ではＭＡＮ（Ｍｅｔｒｏｐｏｌｉｔａｎ  Ａｒｅａ  Ｎｅｔｗｏｒｋ）やＷＡＮ（Ｗｉｄｅ  Ａｒｅａ  Ｎｅｔｗｏｒｋ）はＬＡＮに含まれるものとする。
【０００３】
従来はＩＰ（Ｉｎｔｅｒｎｅｔ  Ｐｒｏｔｏｃｏｌ）信号をＡＴＭ（Ａｓｙｎｃｈｒｏｎｏｕｓ  Ｔｒａｎｓｆｅｒ  Ｍｏｄｅ：非同期転送モード）に収容した上でＳＤＨフレームにマッピングする方法や、レイヤ３（ＯＳＩ基本参照モデル第３層：ネットワーク層）などのより上位のレイヤで、一旦ＩＰフレームを終端した上で、ＳＤＨ（Ｓｙｎｃｈｒｏｎｏｕｓ  Ｄｉｇｉｔａｌ  Ｈｉｅｒａｒｃｈｙ）フレームに収容するなどの方法を用いており、ＡＴＭなど中間のフレーム化処理や上位レイヤの終端を必要としてオーバヘッド（無駄な処理）が大きくなるため、処理回路が複雑になったり遅延が大きくなったりする問題があった。
【０００４】
例えば特許文献１では、ギガビット・イーサネット（登録商標）等のＬＡＮ信号を直接ＯＴＮ（Ｏｐｔｉｃａｌ  Ｔｒａｎｓｐｏｒｔ  Ｎｅｔｗｏｒｋ）フレームにマッピングする方法を提案している。なお、ＯＴＮとはＩＴＵ−Ｔ  Ｇ．７０９で勧告されるデジタルラッパー方法の伝送フレーム形式である。
【０００５】
しかし、特許文献１の方法では空きバイトを挿入するなどして伝送効率が劣る問題があり、それを解決するものとして例えば特許文献２に記載のものがある。このものは、ＬＡＮ信号を８Ｂ／１０Ｂ復号化してＬＡＮ信号のデータ部のみを抜き出してＯＴＮフレームにマッピングすることで収容効率を高める方法である。
【０００６】
しかし、ＬＡＮ信号を構成するデータ以外の部分であるコントロールコードをどのように伝送するかという問題がある。ＬＡＮ信号は、互いに隣接する伝送装置間の状態をコントロールコードでやり取りを行う。コントロールコードは８Ｂ／１０Ｂ復号化時に終端されるため、復号化後のコントロールコードをＯＴＮフレームに収容することによってＯＴＮフレームを用いて伝送する伝送装置間でＬＡＮが分断されることを避けなければならない。
【０００７】
図１は、ＬＡＮ信号を伝送する一般的なＬＡＮ装置の構成を示す。ここで、各ＬＡＮ装置１０，１１はそれぞれ終端するレイヤによってＬ１〜Ｌ７機能ブロックを含むが、一般にＬＡＮ装置はレイヤ２（ＭＡＣ層）までを含む。
【０００８】
各ＬＡＮ装置１０，１１のレイヤ１（物理層）はＰＨＹと呼び、ＬＡＮ信号の光電気変換、８Ｂ／１０Ｂ符号／復号化、リンク状態の管理等を行う。リンク状態の管理はコントロールコード（Ｃ．Ｃ．）やコンフィグレーションレジスタと呼ばれる制御用のデータセットをお互いのＰＨＹでやり取りして行う。
【０００９】
コントロールコードの形態および情報を図２に示す。ＦＤ（Ｆｕｌｌ  Ｄｕｐｌｅｘ），ＨＤ（Ｈａｉｆ  Ｄｕｐｌｅｘ）にて全２重、半２重の指定を行う。また、ＰＳ（Ｐａｕｓｅ），ＲＦ（Ｒｅｍｏｔｅ  Ｆａｕｌｔ），ＡＣＫ（Ａｃｋｎｏｗｌｅｄｇｅ）にてリンク状態、フロー制御のタイプ等がやり取りされる。
【００１０】
このコントロールコードのやり取りをネゴシエーションといい、ネゴシエーションが確立するとリンク確立の状態となる。そして、ここでやり取りされた情報は上位レイヤに通知され、また上位レイヤから情報を設定することも可能である。
【００１１】
ここで、図３に示すように、伝送装置１２，１３がＬＡＮ装置１０，１１間に存在する場合を考えると、伝送装置１２，１３によって中継される２つのＬＡＮ装置１０，１１がリンクするためには、コントロールコードは伝送装置１２，１３を透過して互いのＬＡＮ装置１０，１１間でやり取りされなければならない。
【００１２】
図４に示すように、ＬＡＮ装置１０からのＬＡＮ信号は、伝送装置１２で８Ｂ／１０Ｂ復号化してデータとコントロールコードを抽出し、ＯＨＢマッピング部１４でコントロールコードをＳＤＨのオーバヘッドに乗せて伝送装置１３に転送する。対向側の伝送装置１３にてＳＤＨのオーバヘッドからコントロールコードを抽出し、８Ｂ／１０Ｂ符号化する際に転送されたコントロールコードを含めて符号化することで、２つの伝送装置１２，１３に接続されたＬＡＮ装置１０，１１間でリンク動作を行う方法がある（特許文献３参照）。
【００１３】
なお、特許文献４には、ＷＤＭ（Ｗａｖｅｌｅｎｇｔｈ  Ｄｉｖｉｓｉｏｎ  Ｍｕｌｔｉｐｌｅｘｅｒ：波長分割多重）通信システムにおける情報パケットの転送処理についての記載がある。また、特許文献５には、ＷＤＭ通信システムにおける逆方向のアラームマスクについての記載がある。
【特許文献１】特開２００２−２１７９４０号公報
【特許文献２】特開２００１−４５０６９号公報
【特許文献３】特開２００４−３５７１６４号公報
【特許文献４】特開２００１−１１１５２６号公報
【特許文献５】特開２００２−３１９９０９号公報
【発明の開示】
【発明が解決しようとする課題】
【００１４】
しかし、図４に示す方法では、ＳＤＨフレームのオーバヘッドを利用してコントロールコードを転送するため、伝送装置１３ではＳＤＨフレームからデマッピングされたデータとコントロールコードを結合部１５で結合し、８Ｂ／１０Ｂ符号化部１６で符号化する特殊な処理を行う必要がある。このため一般的なＭＡＣフレーマ（８Ｂ／１０Ｂ符号化回路）を使用する場合にはソフトウェエアが介在する必要があり、処理遅延を生じるといった問題があった。また、伝送距離が長くなるにしたがい、コントロールコードの伝送に遅延が生じてリンクが正常に行われないおそれもあった。
【００１５】
本発明は、上記の点に鑑みなされたものであり、フレーム収容効率を向上でき、かつ、上位レイヤによる処理遅延やコントロールコードの伝送のための特殊な処理を必要としないＬＡＮ信号伝送方法及びそれに用いる伝送装置を提供することを目的とする。
【課題を解決するための手段】
【００１６】
本発明のＬＡＮ信号伝送方法は、ＬＡＮ信号の送受信を行う第１、第２のＬＡＮ装置間に第１、第２の伝送装置を配置し、第１のＬＡＮ装置から送信されたＬＡＮ信号を第１の伝送装置でデジタルラッパー信号に変換して第２の伝送装置に送信し、第２の伝送装置で受信したデジタルラッパー信号をＬＡＮ信号に変換して第２のＬＡＮ装置に送信するＬＡＮ信号伝送方法において、
前記第１の伝送装置は、受信したＬＡＮ信号のデータ部のみを取り出してデジタルラッパー信号に収容し、前記第１のＬＡＮ装置との間のリンク情報をデジタルラッパー信号のオーバヘッドに収容して前記第２の伝送装置に送信し、
前記第２の伝送装置は、受信したデジタルラッパー信号から前記ＬＡＮ信号のデータ部を取り出すと共に、受信したデジタルラッパー信号のオーバヘッドから前記リンク情報を取り出し、取り出したデータ部を含むＬＡＮ信号を構成して前記第２のＬＡＮ装置に送信し、取り出したリンク情報がリンクダウンであるとき前記第２のＬＡＮ装置に送信するＬＡＮ信号をシャットダウンし、かつ、前記第１のＬＡＮ装置に送信する前記第２のＬＡＮ装置との間のリンク情報がリンクダウンとなることのマスクを行うことにより、
ＬＡＮ信号のデータ部のみをデジタルラッパー信号に収容して伝送するため収容効率を向上でき、かつ、上位レイヤによる処理遅延やコントロールコードの伝送のための特殊な処理を必要としない。
【００１７】
また、本発明のＬＡＮ信号伝送方法の第２の伝送装置は、前記第１の伝送装置との間の障害を検出し、障害検出時に前記第２のＬＡＮ装置に送信するＬＡＮ信号をシャットダウンし、前記第１のＬＡＮ装置に送信する前記第２のＬＡＮ装置との間のリンク情報がリンクダウンとなることのマスクを解除することにより、
第１、第２の伝送装置間の障害発生時にリンクダウンの発生を第１、第２のＬＡＮ装置に通知できる。
【００１８】
本発明の伝送装置は、ＬＡＮ信号の送受信を行う第１、第２のＬＡＮ装置間に第１、第２の伝送装置を配置し、第１のＬＡＮ装置から送信されたＬＡＮ信号を第１の伝送装置でデジタルラッパー信号に変換して第２の伝送装置に送信し、第２の伝送装置で受信したデジタルラッパー信号をＬＡＮ信号に変換して第２のＬＡＮ装置に送信するＬＡＮ信号伝送方法に用いる伝送装置において、
受信したＬＡＮ信号のデータ部のみを取り出す抽出手段と、
前記第１のＬＡＮ装置との間のリンク状態を検出するリンク状態検出手段と、
抽出ＬＡＮ信号のデータ部をデジタルラッパー信号に収容し、検出されたリンク状態をデジタルラッパー信号のオーバヘッドに収容して前記第２の伝送装置に送信するマッピング手段と、
受信したデジタルラッパー信号から前記ＬＡＮ信号のデータ部を取り出すと共に、受信したデジタルラッパー信号のオーバヘッドから前記リンク情報を取り出すデマッピング手段と、
取り出したデータ部を含むＬＡＮ信号を構成して前記第２のＬＡＮ装置に送信するＬＡＮ信号構成手段と、
取り出したリンク情報がリンクダウンであるとき前記第２のＬＡＮ装置に送信するＬＡＮ信号をシャットダウンするシャットダウン手段と、
取り出したリンク情報がリンクダウンであるとき前記第１のＬＡＮ装置に送信する前記第２のＬＡＮ装置との間のリンク情報がリンクダウンとなることのマスクを行うマスク手段を有することにより、
ＬＡＮ信号のデータ部のみをデジタルラッパー信号に収容して伝送するため収容効率を向上でき、かつ、上位レイヤによる処理遅延やコントロールコードの伝送のための特殊な処理を必要としない。
【００１９】
また、本発明の伝送装置は、前記第１の伝送装置との間の障害を検出し、障害検出時に前記シャットダウン手段に前記第２のＬＡＮ装置に送信するＬＡＮ信号をシャットダウンさせる障害検出手段と、
障害検出時に前記第１のＬＡＮ装置に送信する前記第２のＬＡＮ装置との間のリンク情報がリンクダウンとなることのマスクを解除するマスク解除手段を有することにより、
第１、第２の伝送装置間の障害発生時にリンクダウンの発生を第１、第２のＬＡＮ装置に通知できる。
【発明の効果】
【００２０】
本発明によれば、ＬＡＮ信号のデータ部のみをデジタルラッパー信号に収容して伝送するため収容効率を向上でき、かつ、上位レイヤによる処理遅延やコントロールコードの伝送のための特殊な処理を必要としない。
【発明を実施するための最良の形態】
【００２１】
以下、図面に基づいて本発明の実施形態について説明する。
【００２２】
まず、本発明の原理について説明する。
【００２３】
図５に示すように、ＬＡＮ装置２０，２１間の伝送を中継する伝送装置２２，２３を配置し、ＬＡＮ装置２０，伝送装置２２間でリンクを確立し、ＬＡＮ装置２１，伝送装置２３間でリンクを確立する。
【００２４】
この状態でＬＡＮ装置２０と伝送装置２２間のリンクが切れた場合には、ＬＡＮ装置２１と伝送装置２３間のリンクは確立したままのため、ＬＡＮ装置２１はＬＡＮ装置２３からのルートを他のルートに切り替えすることが出来なくなり、このルートの切り替えはさらに上位レイヤのコントロールや、オペレータにより手動のルーティングを行う必要が出てくる。この点が伝送装置間でコントロールコードを伝送しない場合、つまり、リンクを２つに分断する場合の一つの問題である。
【００２５】
すなわち、ＬＡＮ装置と伝送装置間において独立したリンク状態を構築する場合、ＬＡＮ装置２０，２１間のＬＡＮ接続を分断しないために伝送装置２２，２３間でやり取りされるべき最低限の情報は、互いの局におけるＬＡＮ装置２０，２１との間のリンク状態が、リンクアップかリンクダウンかの情報のみである。
【００２６】
したがって、本発明では、伝送装置とＬＡＮ装置間は８Ｂ／１０Ｂ復号化及び符号化を行ってコントロールコードを終端するとともに、データ部をＯＴＮフレームのペイロードにマッピングして伝送し、リンクダウン状態については伝送装置間の警報転送を用いて実現する。警報転送としては、例えばＯＴＮオーバヘッドに定義されたＰＭのＡＩＳ信号を用いて行う。
【００２７】
そして、警報転送によりリンクダウンを認識した対向する伝送装置２３は、接続されているＬＡＮ装置２１を強制リンクダウン状態にする。  
この場合、リンクダウンそのものを対局の通知情報とするために、両方向強制リンクダウン発生状態によるデッドロックが発生するおそれがある。
【００２８】
すなわち、図５において、たとえばＬＡＮ装置２０から伝送装置２２に向かう物理リンクがケーブル断等によって切断されると、ＬＡＮ装置２０と伝送装置２２間がリンクダウン状態となる。ここで、このリンクダウン状態を伝送装置２２が警報転送として伝送装置２３に通知すると、伝送装置２３はＬＡＮ装置２１とのリンクをリンクダウン状態とする。そして、このリンクダウン状態を伝送装置２３が伝送装置２２に転送すると、伝送装置２２はこの警報転送によってもＬＡＮ装置２０とのリンクをリンクダウン状態としてしまい、リンクダウンの発端であるＬＡＮ装置２０から伝送装置２２に向かう物理リンクの断が復旧したとしても、伝送装置２２は伝送装置２３から転送された、伝送装置２３とＬＡＮ装置２１間のリンクダウン状態を示す警報転送によってＬＡＮ装置２０とのリンクダウン状態を維持してしまい、復旧ができないデッドロック状態となるおそれがある。
【００２９】
これを回避するためにリンクダウンの警報転送信号を受信した場合は、逆方向への警報転送信号の挿入をマスク（禁止）し、本来警報転送すべき方向のみ強制的にリンクダウン発生状態とする処理を行う。
【００３０】
更に、伝送装置２２，２３間で障害が発生した際には、ＬＡＮ装置２０，２１間では正常な信号の送受信が不可になるにもかかわらず、実際はＬＡＮ装置２０，２１と伝送装置２２，２３との間では障害が発生していないため、ＬＡＮ装置２０，２１はリンクダウンとすることができなくなる。このため、伝送装置２２，２３間での障害発生時には、警報転送信号を用いて伝送装置２２，２３それぞれからＬＡＮ装置２０，２１に対しリンクダウンを発生できるよう光出力をシャットダウンする。もしくは、固定パターンの信号等、ＬＡＮ信号として正常に受信されない信号を送信することでＬＡＮ装置２０，２１に信号異常を通知する。
【００３１】
図６は、本発明のＬＡＮ信号伝送方法を適用したＷＤＭシステムの一実施形態のシステム構成図である。同図中、ルータ２４１〜２４ｎ，２５１〜２５ｎはＬＡＮ信号を送受信するＬＡＮ装置である。また、トランスミッタ２６１〜２６ｎ，２７１〜２７ｎはルータ２４１〜２４ｎ，２５１〜２５ｎから受信したＬＡＮ信号を例えばＯＴＮフレームにマッピングし所定の波長の光信号としてＷＤＭ装置２８，２９に供給する伝送装置である。ＷＤＭ装置２８，２９はトランスミッタ２６１〜２６ｎ，２７１〜２７ｎから供給される光信号を波長多重し伝送路を介して対向するＷＤＭ装置２９，２８に伝送する。また、ＷＤＭ装置２８，２９は対向するＷＤＭ装置２９，２８から受信したＷＤＭ信号を波長毎に分離してトランスミッタ２６１〜２６ｎ，２７１〜２７ｎに供給し、ここで変換されたＬＡＮ信号はルータ２４１〜２４ｎ，２５１〜２５ｎに供給される。
【００３２】
＜第１実施形態＞
図７は、本発明のＬＡＮ信号伝送方法の第１実施形態のブロック図を示す。同図中、ＬＡＮ装置３０，３１は例えば１．２５Ｇｂ／ｓのＬＡＮ信号を送受信するルータである。伝送装置３２，３３はＬＡＮ装置３０，３１との間でＬＡＮ信号を送受信し、伝送装置３２，３３間でＳＤＨ信号を送受信する。
【００３３】
伝送装置３２において、ＬＡＮ装置３０から受信されたＬＡＮ信号は光断検出部４０で光断検出を行われたのち８Ｂ／１０Ｂ復号部４１に供給される。また、光断検出部４０で検出した光断検出信号はリンクダウン警報検出部４４に供給される。
【００３４】
８Ｂ／１０Ｂ復号部４１はＬＡＮ信号を８Ｂ／１０Ｂ変換して１Ｇｂ／ｓのＭＡＣフレーム（データ部）とコントロールコード（Ｃ．Ｃ．）に分離する。ＭＡＣフレームはＯＴＮフレームマッピング部４２でＯＴＮフレームのペイロードに収容され、伝送路を介して伝送装置３３に伝送される。
【００３５】
８Ｂ／１０Ｂ復号部４１で分離されたコントロールコードは、コントロールコード終端部４３で終端され、リンクダウン警報検出部４４に供給される。リンクダウン警報検出部４４はコントロールコードからリンクダウン警報を検出する。リンクダウン警報検出部４４はリンクダウン警報の検出時、または、光断検出部４０から光断検出信号を供給されたときリンクダウン警報（警報転送信号）を生成し、このリンクダウン警報はリンクダウン警報転送部４５からＯＴＮフレームマッピング部４２に供給され、ここでＯＴＮオーバヘッドに収容され、伝送路を介して伝送装置３３に伝送される。なお、光断検出部４０で光断検出を行うと共に、リンクダウン警報検出部４４でコントロールコードからリンクダウン警報を検出するのは、検出するレイヤが異なるためであり、光断していない場合でもリンクダウンする場合がある。
【００３６】
図８にＯＴＮオーバヘッドのフォーマットを示す。同図中、ＯＴＮオーバヘッドのＰＭ（パスモニタ）にＡＩＳ信号（値“１１１”）が定義されており、例えば上記ＡＩＳ信号を用いてリンクダウン警報を伝送する。
【００３７】
伝送装置３３において、伝送装置３２から受信されたＳＤＨ信号はＯＴＮフレームデマッピング部５１に供給される。ＯＴＮフレームデマッピング部５１は、ＯＴＮフレームにマッピングされて伝送されたＭＡＣフレームを取り出して８Ｂ／１０Ｂ符号化部５２に供給すると共に、ＯＴＮオーバヘッドからリンクダウン警報を取り出してリンクダウン転送検出部５４に供給する。
【００３８】
また、コントロールコード挿入部５３からはコントロールコードが８Ｂ／１０Ｂ符号化部５２に供給されている。８Ｂ／１０Ｂ符号化部５２は上記ＭＡＣフレームとコントロールコードを合わせて８Ｂ／１０Ｂ符号化を行い、得られた１．２５Ｇｂ／ｓのＬＡＮ信号をＬＡＮ装置３１に送信する。
【００３９】
また、伝送装置３３では、リンクダウン転送検出部５４でリンクダウン警報を受信した場合には光シャットダウン制御部５５に通知し、光シャットダウン制御部５５は８Ｂ／１０Ｂ符号化部５２から出力される光信号のシャットダウンを行って、ＬＡＮ装置３１に対し強制的にリンクダウンを発生させる。
【００４０】
さらに、リンクダウン転送検出部５４でリンクダウン警報を受信した場合にはマスク信号を生成して伝送装置３０に対して折り返すリンクダウン警報転送部５６に供給する。リンクダウン警報転送部５６は、マスク信号を供給されると自伝送装置３３のリンクダウン警報検出部５７で検出したリンクダウン警報をマスクし、ＬＡＮ装置３０にリンクダウン警報を転送させない。これによって、伝送装置３２，３３がリンクダウン状態から復旧できない状態を回避することが可能となる。
【００４１】
なお、上記実施形態では、伝送装置３２から伝送装置３３への順方向の構成だけを説明したが、伝送装置３３から伝送装置３２への順方向の構成も同一であり、その説明を省略する。
【００４２】
図９に第１実施形態を適用したＷＤＭシステムでの警報転送動作を示す。同図中、両端のＬＡＮ装置３０，３１間の通信はリンクアップすることで確立しており、ＬＡＮ装置３０と伝送装置３２間で障害が発生した際には、強制的にリンクダウンさせて通信不可状態をＬＡＮ装置３１に認識させる必要がある。
【００４３】
伝送装置３２はＬＡＮ信号の受信で障害が発生した際には、ＷＤＭ区間のデジタルラッパー信号に警報転送信号を挿入し、対向側の伝送装置３３に通知する。警報転送信号を受信した伝送装置３３は光出力を強制的にシャットダウンさせ、接続先のＬＡＮ装置３１とのリンクを切って強制リンクダウン状態とする。
【００４４】
この強制リンクダウンにより、対向側の伝送装置３２もＬＡＮ装置３０との通信が障害発生状態となるため、逆方向へのデジタルラッパー信号に警報転送信号を挿入しようとするが、伝送装置３２から伝送装置３３への順方向のデジタルラッパー信号の警報転送信号により、伝送装置３３から伝送装置３２への逆方向のデジタルラッパー信号への警報転送信号の挿入がマスクされるため、本来意図していた警報転送の方向のみにリンクダウンを強制発生させることができる。
【００４５】
このようにして、両方向の強制リンクダウン発生状態を回避し、障害復旧時に両端局のＬＡＮ装置３０，３１間のリンクアップを可能にすることができる。また、このように構成することにより、ＬＡＮ信号のＭＡＣフレームのみを伝送しながらＬＡＮ信号を分断しない効率の良いネットワークを構築可能となる。
【００４６】
＜第２実施形態＞
図１０は、本発明のＬＡＮ信号伝送方法の第２実施形態のブロック図を示す。同図中、図７と同一部分には同一符号を付す。図１０において、ＬＡＮ装置３０，３１は例えば１．２５Ｇｂ／ｓのＬＡＮ信号を送受信するルータである。伝送装置３２，３３はＬＡＮ装置３０，３１との間でＬＡＮ信号を送受信し、伝送装置３２，３３間でＳＤＨ信号を送受信する。
【００４７】
伝送装置３２において、ＬＡＮ装置３０から受信されたＬＡＮ信号は光断検出部４０で光断検出を行われたのち８Ｂ／１０Ｂ復号部４１に供給される。また、光断検出部４０で検出した光断検出信号はリンクダウン警報検出部４４に供給される。
【００４８】
８Ｂ／１０Ｂ復号部４１はＬＡＮ信号を８Ｂ／１０Ｂ変換して１Ｇｂ／ｓのＭＡＣフレームとコントロールコード（Ｃ．Ｃ．）に分離する。ＭＡＣフレームはＯＴＮフレームマッピング部４２でＯＴＮフレームのペイロードに収容され、伝送路を介して伝送装置３３に伝送される。
【００４９】
８Ｂ／１０Ｂ復号部４１で分離されたコントロールコードは、コントロールコード終端部４３で終端され、リンクダウン警報検出部４４に供給される。リンクダウン警報検出部４４はコントロールコードからリンクダウン警報を検出する。リンクダウン警報検出部４４はリンクダウン警報の検出時、または、光断検出部４０から光断検出信号を供給されたときリンクダウン警報（警報転送信号）を生成し、このリンクダウン警報はリンクダウン警報転送部４５からＯＴＮフレームマッピング部４２に供給され、ここでＯＴＮオーバヘッドに収容され、伝送路を介して伝送装置３３に伝送される。なお、図８にフォーマットを示すＯＴＮオーバヘッドのＰＭ（パスモニタ）のＡＩＳ信号を用いてリンクダウン警報を伝送する。
【００５０】
伝送装置３３において、伝送装置３２から受信されたＳＤＨ信号は光断検出部６０で光断検出を行われたのちＯＴＮフレームデマッピング部５１に供給される。また、光断検出部６０で検出した光断検出信号はＯＴＮフレーム障害検出部６１に供給される。ＯＴＮフレームデマッピング部５１は、ＯＴＮフレームにマッピングされて伝送されたＭＡＣフレームを取り出して８Ｂ／１０Ｂ符号化部５２に供給すると共に、ＯＴＮオーバヘッドからリンクダウン警報を取り出してリンクダウン転送検出部５４に供給する。
【００５１】
また、コントロールコード挿入部５３からはコントロールコードが８Ｂ／１０Ｂ符号化部５２に供給されている。８Ｂ／１０Ｂ符号化部５２は上記ＭＡＣフレームとコントロールコードを合わせて８Ｂ／１０Ｂ符号化を行い、得られた１．２５Ｇｂ／ｓのＬＡＮ信号をＬＡＮ装置３１に送信する。
【００５２】
また、伝送装置３３では、リンクダウン転送検出部５４でリンクダウン警報を受信した場合にはオア回路６２を介して光シャットダウン制御部５５に通知する。ＯＴＮフレーム障害検出部６１は光断検出部６０から光断検出信号を供給されるとＯＴＮフレーム障害警報を生成し、オア回路６２を介して光シャットダウン制御部５５に通知する。
【００５３】
光シャットダウン制御部５５は、オア回路６２からリンクダウン警報またはＯＴＮフレーム障害警報を供給されると、８Ｂ／１０Ｂ符号化部５２から出力される光信号のシャットダウンを行って、ＬＡＮ装置３１に対し強制的にリンクダウンを発生させる。
【００５４】
さらに、リンクダウン転送検出部５４でリンクダウン警報を受信した場合にはマスク信号を生成して伝送装置３０に対して折り返すリンクダウン警報転送部５６に供給する。ＯＴＮフレーム障害検出部６１でＯＴＮフレーム障害警報を発生した場合にはマスク解除信号を生成してリンクダウン警報転送部５６に供給する。
【００５５】
リンクダウン警報転送部５６は、マスク信号を供給されると自伝送装置３３のリンクダウン警報検出部５７で検出したリンクダウン警報をマスクするが、マスク解除信号を供給されるとマスク信号を供給されていてもリンクダウン警報検出部５７で検出したリンクダウン警報のマスクを解除し、ＬＡＮ装置３０にリンクダウン警報が転送される。
【００５６】
この動作により、伝送装置３２，３３間のＷＤＭ部で障害が発生して、伝送装置３２，３３に接続されたＬＡＮ装置３０，３１でリンクダウンが検出できない場合において、障害が発生した伝送装置３２から伝送装置３３への順方向のみならず逆方向へもリンクダウン発生を通知することが可能となる。
【００５７】
なお、上記実施形態では、伝送装置３２から伝送装置３３への順方向の構成だけを説明したが、伝送装置３３から伝送装置３２への逆方向の構成も同一であり、その説明を省略する。
【００５８】
図１１に第２実施形態を適用したＷＤＭシステムでの警報転送動作を示す。同図中、ＷＤＭ区間である伝送装置３２，３３間の障害により、障害発生方向（伝送装置３３からＬＡＮ装置３１に向かう方向）の光信号がシャットダウンされて、伝送装置３３とＬＡＮ装置３１間のリンクダウンが発生すると同時に、リンクダウン検出による逆方向（伝送装置３３からＬＡＮ装置３２に向かう方向）のリンクダウン警報転送がマスクされないために、逆方向の伝送装置３２からＬＡＮ装置３０に向かう光信号もシャットダウンされてＬＡＮ装置３０，３１にリンクダウンが発生する。この場合、ＷＤＭ部の障害が回復すれば、逆方向への警報転送はマスクされてデットロックは回避される。
【００５９】
なお、上記実施形態では、８Ｂ／１０Ｂ符号化及び復号化を行っているが、６４Ｂ／６６０Ｂ符号化及び復号化等の他の符号化及び復号化を行うものであっても良く、上記実施形態に限定されるものではない。
【００６０】
また、上記実施例において、伝送装置間の信号としてＳＤＨ信号を例示したが、伝送信号として、ＳＯＮＥＴ（ｓｙｎｃｈｒｏｎｏｕｓ  ｏｐｔｉｃａｌ  ｎｅｔｗｏｒｋ）信号を使用する場合でも、本発明は同様に構成でき、同様の効果を奏することは明らかである。
【００６１】
なお、８Ｂ／１０Ｂ復号部４１が請求項記載の抽出手段に相当し、光断検出部４０がリンク状態検出手段に相当し、ＯＴＮフレームマッピング部４２がマッピング手段に相当し、ＯＴＮフレームデマッピング部５１がデマッピング手段に相当し、８Ｂ／１０Ｂ符号化部５２がＬＡＮ信号構成手段に相当し、リンクダウン転送検出部５４，光シャットダウン制御部５５がシャットダウン手段に相当し、リンクダウン転送検出部５４がマスク手段に相当し、光断検出部６０，ＯＴＮフレーム障害検出部６１が障害検出手段及びマスク解除手段に相当する。
（付記１）
ＬＡＮ信号の送受信を行う第１、第２のＬＡＮ装置間に第１、第２の伝送装置を配置し、第１のＬＡＮ装置から送信されたＬＡＮ信号を第１の伝送装置でデジタルラッパー信号に変換して第２の伝送装置に送信し、第２の伝送装置で受信したデジタルラッパー信号をＬＡＮ信号に変換して第２のＬＡＮ装置に送信するＬＡＮ信号伝送方法において、
前記第１の伝送装置は、受信したＬＡＮ信号のデータ部のみを取り出してデジタルラッパー信号に収容し、前記第１のＬＡＮ装置との間のリンク情報をデジタルラッパー信号のオーバヘッドに収容して前記第２の伝送装置に送信し、
前記第２の伝送装置は、受信したデジタルラッパー信号から前記ＬＡＮ信号のデータ部を取り出すと共に、受信したデジタルラッパー信号のオーバヘッドから前記リンク情報を取り出し、取り出したデータ部を含むＬＡＮ信号を構成して前記第２のＬＡＮ装置に送信し、取り出したリンク情報がリンクダウンであるとき前記第２のＬＡＮ装置に送信するＬＡＮ信号をシャットダウンし、かつ、前記第１のＬＡＮ装置に送信する前記第２のＬＡＮ装置との間のリンク情報がリンクダウンとなることのマスクを行うことを特徴とするＬＡＮ信号伝送方法。
（付記２）
付記１記載のＬＡＮ信号伝送方法において、
前記第２の伝送装置は、前記第１の伝送装置との間の障害を検出し、障害検出時に前記第２のＬＡＮ装置に送信するＬＡＮ信号をシャットダウンし、前記第１のＬＡＮ装置に送信する前記第２のＬＡＮ装置との間のリンク情報がリンクダウンとなることのマスクを解除することを特徴とするＬＡＮ信号伝送方法。
（付記３）
ＬＡＮ信号の送受信を行う第１、第２のＬＡＮ装置間に第１、第２の伝送装置を配置し、第１のＬＡＮ装置から送信されたＬＡＮ信号を第１の伝送装置でデジタルラッパー信号に変換して第２の伝送装置に送信し、第２の伝送装置で受信したデジタルラッパー信号をＬＡＮ信号に変換して第２のＬＡＮ装置に送信するＬＡＮ信号伝送方法に用いる伝送装置において、
受信したＬＡＮ信号のデータ部のみを取り出す抽出手段と、
前記第１のＬＡＮ装置との間のリンク状態を検出するリンク状態検出手段と、
抽出ＬＡＮ信号のデータ部をデジタルラッパー信号に収容し、検出されたリンク状態をデジタルラッパー信号のオーバヘッドに収容して前記第２の伝送装置に送信するマッピング手段と、
受信したデジタルラッパー信号から前記ＬＡＮ信号のデータ部を取り出すと共に、受信したデジタルラッパー信号のオーバヘッドから前記リンク情報を取り出すデマッピング手段と、
取り出したデータ部を含むＬＡＮ信号を構成して前記第２のＬＡＮ装置に送信するＬＡＮ信号構成手段と、
取り出したリンク情報がリンクダウンであるとき前記第２のＬＡＮ装置に送信するＬＡＮ信号をシャットダウンするシャットダウン手段と、
取り出したリンク情報がリンクダウンであるとき前記第１のＬＡＮ装置に送信する前記第２のＬＡＮ装置との間のリンク情報がリンクダウンとなることのマスクを行うマスク手段を
有することを特徴とするＬＡＮ信号伝送方法。
（付記４）
付記３記載の伝送装置において、
前記第１の伝送装置との間の障害を検出し、障害検出時に前記シャットダウン手段に前記第２のＬＡＮ装置に送信するＬＡＮ信号をシャットダウンさせる障害検出手段と、
障害検出時に前記第１のＬＡＮ装置に送信する前記第２のＬＡＮ装置との間のリンク情報がリンクダウンとなることのマスクを解除するマスク解除手段を
有することを特徴とする伝送装置。
（付記５）
付記３または４記載の伝送装置において、
前記第２のＬＡＮ装置に送信するＬＡＮ信号に挿入する所定のコントロールコードを発生して前記ＬＡＮ信号構成手段に供給するコントロールコード挿入部を
有することを特徴とする伝送装置。
（付記６）
付記３乃至５のいずれか１項記載の伝送装置において、
前記デジタルラッパー信号は、ＯＴＮフレームであることを特徴とする伝送装置。
（付記７）
付記３乃至６のいずれか１項記載の伝送装置において、
前記抽出手段は、８Ｂ／１０Ｂ復号化を行って受信したＬＡＮ信号のデータ部を取り出し、
前記ＬＡＮ信号構成手段は、８Ｂ／１０Ｂ符号化を行って取り出したデータ部を含むＬＡＮ信号を構成することを特徴とする伝送装置。
【図面の簡単な説明】
【００６２】
【図１】ＬＡＮ信号を伝送する一般的なＬＡＮ装置の構成を示す図である。
【図２】コントロールコードの形態および情報を示す図である。
【図３】従来のＬＡＮ信号伝送方法を説明するための図である。
【図４】従来のＬＡＮ信号伝送方法を説明するための図である。
【図５】本発明の原理を説明するための図である。
【図６】本発明のＬＡＮ信号伝送方法を適用したＷＤＭシステムの一実施形態のシステム構成図である。
【図７】本発明のＬＡＮ信号伝送方法の第１実施形態のブロック図である。
【図８】ＯＴＮオーバヘッドのフォーマットを示す図である。
【図９】第１実施形態を適用したＷＤＭシステムでの警報転送動作を示す図である。
【図１０】本発明のＬＡＮ信号伝送方法の第２実施形態のブロック図である。
【図１１】第２実施形態を適用したＷＤＭシステムでの警報転送動作を示す図である。
【符号の説明】
【００６３】
２０，２１，３０，３１  ＬＡＮ装置
２２，２３，３２，３３  伝送装置
２４１〜２４ｎ，２５１〜２５ｎ  ルータ
２６１〜２６ｎ，２７１〜２７ｎ  トランスミッタ
２８，２９  ＷＤＭ装置
４０，６０  光断検出部
４１  ８Ｂ／１０Ｂ復号部
４２  ＯＴＮフレームマッピング部
４３  コントロールコード終端部
４４，５７  リンクダウン警報検出部
４５，５６  リンクダウン警報転送部
５１  ＯＴＮフレームデマッピング部
５２  ８Ｂ／１０Ｂ符号化部
５３  コントロールコード挿入部
５４  リンクダウン転送検出部
５５  光シャットダウン制御部
６１  ＯＴＮフレーム障害検出部
６２  オア回路
【図１】
2006339956.tif 000003
【図２】
2006339956.tif 000004
【図３】
2006339956.tif 000005
【図４】
2006339956.tif 000006
【図５】
2006339956.tif 000007
【図６】
2006339956.tif 000008
【図７】
2006339956.tif 000009
【図８】
2006339956.tif 000010
【図９】
2006339956.tif 000011
【図１０】
2006339956.tif 000012
【図１１】
2006339956.tif 000013